(57)【要約】【課題】電子メールを受信した際に、ユーザが受信後直ちにその電子メールの重要度を判別できる携帯電話装置及び電子メール内容判別方法を提供する。【解決手段】発光体４６の発光により所定の色の照明が施される表示手段４２と、受信した電子メールの重要度を判別する判別条件と、電子メールの重要度と発光体４６の色との対応関係と、を記憶する記憶手段４０と、判別条件に基づいて電子メールの重要度を判別し、この判別結果と対応関係に基づき電子メールの重要度に対応した色の発光体４６を発光させる制御手段３６と、を有する構成とした。【選択図】      図１
2005236422.tif 000002
【特許請求の範囲】
【請求項１】
発光体の発光により所定の色の照明が施される表示手段と、
受信した電子メールの重要度を判別する判別条件と、前記電子メールの重要度と前記発光体の色との対応関係と、を記憶する記憶手段と、
前記判別条件に基づいて前記電子メールの重要度を判別し、この判別結果と前記対応関係に基づき前記電子メールの重要度に対応した色の前記発光体を発光させる制御手段と、
を有することを特徴とする携帯電話装置。
【請求項２】
所定の情報が表示される表示手段と、
受信した電子メールの重要度を判別する判別条件と、前記電子メールの重要度と前記情報の種類との対応関係と、を記憶する記憶手段と、
前記判別条件に基づいて前記電子メールの重要度を判別し、この判別結果と前記対応関係に基づき前記電子メールの重要度に対応した種類の前記情報を前記表示手段に表示させる制御手段と、
を有することを特徴とする携帯電話装置。
【請求項３】
受信した電子メールの重要度を判別する判別条件に基づいて前記電子メールの重要度を制御手段に判別させる判別工程と、
前記判別工程の判別結果と、前記電子メールの重要度と発光体の色との対応関係と、に基づき前記制御手段により前記電子メールの重要度に対応した色の前記発光体を発光させ表示手段に前記色の照明が施される制御工程と、
を有することを特徴とする電子メール内容判別方法。
【請求項４】
受信した電子メールの重要度を判別する判別条件に基づいて前記電子メールの重要度を制御手段に判別させる判別工程と、
前記判別工程の前記判別結果と、前記電子メールの重要度と情報の種類との対応関係と、に基づき制御手段により前記電子メールの重要度に対応した種類の前記情報を表示手段に表示させる制御工程と、
を有することを特徴とする電子メール内容判別方法。
【発明の詳細な説明】
【技術分野】
【０００１】
本発明は、電子メールの送受信が可能な携帯電話装置に関するものであり、特に電子メールの重要度が受信後直ちに判別できる携帯電話装置及び電子メール内容判別方法に関する。
【背景技術】
【０００２】
従来の電子メール表示装置として、ユーザが予め設定した重要度に関するルールに基づいて受信した電子メールの重要度を決め、その重要度に応じた表示方法で、電子メール見出し一覧表示を行うものが知られている（下記特許文献１参照）。例えば、電子メール見出し一覧表示では、重要度の高い電子メールは赤文字で表示され、普通の電子メールは青文字で表示され、非重要の電子メールは黒文字で表示される。これにより、ユーザは、ディスプレイに表示された電子メール見出し一覧表示を見ることにより、何が重要な電子メールであるかを見分けることができる。
【特許文献１】特開平９−２００２５４号公報
【発明の開示】
【発明が解決しようとする課題】
【０００３】
ところで、上記電子メール表示装置では、ユーザがディスプレイに表示された電子メール見出し一覧表示を見ることにより、受信した電子メールの重要度が解ることになるが、電子メール見出し一覧表示をディスプレイに表示させるまでに電子メール表示装置における所定の作業及びそれに伴う時間が必要となる。すなわち、電子メールを受信した際に、ユーザが電子メール表示装置を何ら操作することなく受信後直ちに電子メールの重要度を知ることはできない。
【０００４】
特に、携帯電話装置に関しては、外出先等でかつ時間の無い時に電子メールを受信する場合が多々あり、電子メール見出し一覧表示をディスプレイに表示させなければ電子メールの重要度が解らないのでは非常に不便となる。また、夜間等の暗闇の中では、電子メール見出し一覧表示をディスプレイに表示させることも比較的困難となる。
【０００５】
そこで、本発明は、上記事情を考慮し、電子メールを受信した際に、ユーザが受信後直ちにその電子メールの重要度を判別できる携帯電話装置及び電子メール内容判別方法を提供することを目的とする。
【課題を解決するための手段】
【０００６】
請求項１に記載の発明は、発光体の発光により所定の色の照明が施される表示手段と、受信した電子メールの重要度を判別する判別条件と、前記電子メールの重要度と前記発光体の色との対応関係と、を記憶する記憶手段と、前記判別条件に基づいて前記電子メールの重要度を判別し、この判別結果と前記対応関係に基づき前記電子メールの重要度に対応した色の前記発光体を発光させる制御手段と、を有することを特徴とする。
【０００７】
請求項１に記載の発明によれば、受信した電子メールの重要度が記憶手段に記憶された判別条件に基づいて制御手段により判別される。この判別結果と記憶手段に記憶された対応関係に基づき電子メールの重要度に対応した色の発光体が制御手段により発光制御される。制御手段により発光体が発光制御されると、表示手段に前記色の照明が施される。ユーザは、表示手段の照明の色を視認することにより、受信した電子メールの重要度を容易に判別できる。このように、本発明によれば、電子メールを受信した際、ユーザが携帯電話装置を何ら操作することなく、受信後直ちに電子メールの重要度をユーザに知らせることができる。
【０００８】
請求項２に記載の発明は、所定の情報が表示される表示手段と、受信した電子メールの重要度を判別する判別条件と、前記電子メールの重要度と前記情報の種類との対応関係と、を記憶する記憶手段と、前記判別条件に基づいて前記電子メールの重要度を判別し、この判別結果と前記対応関係に基づき前記電子メールの重要度に対応した種類の前記情報を前記表示手段に表示させる制御手段と、を有することを特徴とする。
【０００９】
請求項２に記載の発明によれば、受信した電子メールの重要度が記憶手段に記憶された判別条件に基づいて制御手段により判別される。この判別結果と記憶手段に記憶された対応関係に基づき電子メールの重要度に対応した種類の情報が制御手段により表示手段に表示される。ユーザは、表示手段に表示された情報の種類を視認することにより、受信した電子メールの重要度を容易に判別できる。このように、本発明によれば、電子メールを受信した際、ユーザが携帯電話装置を何ら操作することなく、受信後直ちに電子メールの重要度をユーザに知らせることができる。
【００１０】
請求項３に記載の発明は、受信した電子メールの重要度を判別する判別条件に基づいて前記電子メールの重要度を制御手段に判別させる判別工程と、前記判別工程の判別結果と、前記電子メールの重要度と発光体の色との対応関係と、に基づき前記制御手段により前記電子メールの重要度に対応した色の前記発光体を発光させ表示手段に前記色の照明が施される制御工程と、を有することを特徴とする。
【００１１】
請求項３に記載の発明によれば、判別工程において、受信した電子メールの重要度が判別条件に基づいて制御手段により判別される。制御工程において、判別工程の判別結果と、電子メールの重要度と発光体の色との対応関係と、に基づき制御手段により電子メールの重要度に対応した色の発光体が発光制御され、表示手段に前記色の照明が施される。ユーザは、表示手段の照明の色を視認することにより、受信した電子メールの重要度を容易に判別できる。このように、本発明によれば、電子メールを受信した際、ユーザが携帯電話装置を何ら操作することなく、受信後直ちに電子メールの重要度をユーザに知らせることができる。
【００１２】
請求項４に記載の発明は、受信した電子メールの重要度を判別する判別条件に基づいて前記電子メールの重要度を制御手段に判別させる判別工程と、前記判別工程の前記判別結果と、前記電子メールの重要度と情報の種類との対応関係と、に基づき制御手段により前記電子メールの重要度に対応した種類の前記情報を表示手段に表示させる制御工程と、を有することを特徴とする。
【００１３】
請求項４に記載の発明によれば、判別工程において、受信した電子メールの重要度が判別条件に基づいて制御手段により判別される。制御工程において、判別工程の判別結果と、電子メールの重要度と情報の種類との対応関係と、に基づき制御手段により電子メールの重要度に対応した種類の情報が表示手段に表示される。ユーザは、表示手段の情報の種類を視認することにより、受信した電子メールの重要度を容易に判別できる。このように、本発明によれば、電子メールを受信した際、ユーザが携帯電話装置を何ら操作することなく、受信後直ちに電子メールの重要度をユーザに知らせることができる。
【発明の効果】
【００１４】
請求項１に記載の発明は、受信した電子メールの重要度が記憶手段に記憶された判別条件に基づいて制御手段により判別され、この判別結果と記憶手段に記憶された対応関係に基づき電子メールの重要度に対応した色の発光体が制御手段により発光制御される。制御手段により発光体が発光制御されると、表示手段に前記色の照明が施され、ユーザは、表示手段の照明の色を視認することにより、受信した電子メールの重要度を容易に判別できる。
【００１５】
請求項２に記載の発明は、受信した電子メールの重要度が記憶手段に記憶された判別条件に基づいて制御手段により判別され、この判別結果と記憶手段に記憶された対応関係に基づき電子メールの重要度に対応した種類の情報が制御手段により表示手段に表示される。ユーザは、表示手段に表示された情報の種類を視認することにより、受信した電子メールの重要度を容易に判別できる。
【００１６】
請求項３に記載の発明は、判別工程において、受信した電子メールの重要度が判別条件に基づいて制御手段により判別され、制御工程において、判別工程の判別結果と、電子メールの重要度と発光体の色との対応関係と、に基づき制御手段により電子メールの重要度に対応した色の発光体が発光制御され、表示手段に前記色の照明が施される。ユーザは、表示手段の照明の色を視認することにより、受信した電子メールの重要度を容易に判別できる。
【００１７】
請求項４に記載の発明は、判別工程において、受信した電子メールの重要度が判別条件に基づいて制御手段により判別され、制御工程において、判別工程の判別結果と、電子メールの重要度と情報の種類との対応関係と、に基づき制御手段により電子メールの重要度に対応した種類の情報が表示手段に表示される。ユーザは、表示手段の情報の種類を視認することにより、受信した電子メールの重要度を容易に判別できる。
【発明を実施するための最良の形態】
【００１８】
次に、本発明の一実施形態に係る携帯電話装置について、図面を参照して説明する。
【００１９】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００２０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２５】
また、通信部１２、ベースバンド部１４及び切替回路２２には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
【００２６】
ここで、図３に示すように、ＲＡＭ４０は、電子メールデータ記憶部４０Ａと、重要度判別ルール記憶部４０Ｂと、を有している。
【００２７】
電子メールデータ記憶部４０Ａは、受信した電子メールを一時的に記憶する。重要度判別ルール記憶部４０Ｂは、電子メールの内容に対してどのような条件が成り立ったときに重要と判別するのかといった判別条件や、電子メールの重要度に応じてどのような色のＬＥＤ素子（詳細は後述）を発光させるのかという対応関係（テーブル）など、が記憶されている。例えば、特定の語句（キーワード）や、特定人の電子メールアドレスなどが記憶されており、また、どのようなキーワードや電子メールアドレスの時に何色のＬＥＤ素子を発光させるかといった対応関係（テーブル）が記憶されている。具体的に、重要度判別ルール記憶部４０には、特定の語句として、「重要」、「緊急」、「変更」、「納期」等のユーザが早急に知る必要がある語句や、特定人の電子メールアドレスとして、「身内」や「会社の上司」などの電子メールアドレスがそれぞれ記憶されている。また、重要度判別ルール記憶部４０には、電子メールが重要であると判別された場合に「赤色」、重要でないと判別された場合に「青色」といった対応関係（テーブル）が記憶されている。
【００２８】
また、制御回路３６は、上記した判別条件に基づいて、受信した電子メールの件名や内容（本文）に特定の語句（キーワード）が含まれているか否か、特定人からの電子メールか否かなどを判断する。例えば、制御回路３６は、電子メールの件名や内容（本文）に「重要」、「緊急」、「変更」等のユーザが早急に知る必要がある語句が含まれていると判断した場合、又は送信者が身内や会社の上司、取引先などの特定人であると判断した場合などには、その電子メールは「重要である」と判別する。また、制御回路３６は、電子メールの件名や内容（本文）に「重要」、「緊急」、「変更」等のユーザが早急に知る必要がある語句が含まれておらず、さらに送信者が身内や会社の上司、取引先以外の者であると判断した場合には、その電子メールは「重要でない」と判別する。さらに、制御回路３６は、「重要である」と判別した場合には、「赤色」のＬＥＤ素子が発光する命令を照明部４６（後述）に出力し、「重要でない」と判別した場合には、「青色」のＬＥＤ素子が発光する命令を照明部４６に出力する。
【００２９】
また、制御回路３６には、液晶のディスプレイ４２が接続されている。このディスプレイ４２には、現在の時刻、電話番号、電子メールの内容等の所定の情報が表示される。
【００３０】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、を有している。
【００３１】
また、制御回路３６には、複数色（本実施形態では「赤色」及び「青色」）のＬＥＤ素子を備えた照明部４６が接続されている。照明部４６の各ＬＥＤ素子の発光により、ディスプレイ４２の背景や、入力部４４を構成する各キー４８、５０、５２、５４のキー表面が所定の色に施される。
【００３２】
次に、本実施形態に係る携帯電話装置１０を用いた電子メール内容判別方法について、図２に示すフローチャートに基づいて説明する。
【００３３】
図２に示すように、先ず、ユーザが制御回路３６により「重要である」と判別させるための特定の語句（キーワード）や特定人の電子メールアドレス等の判別条件と、電子メールの重要度と各ＬＥＤ素子の色との対応関係（テーブル）と、をＲＡＭ４０の重要度判別ルール記憶部４０Ｂに記憶させる（ステップ１００）。具体的には、「重要」、「緊急」、「変更」、「納期」等のユーザが早急に知る必要がある語句や、「身内」や「会社の上司」などの特定人の電子メールアドレスをそれぞれ記憶させる。さらに、電子メールが重要であると判別された場合に「赤色」のＬＥＤ素子を発光させ、重要でないと判別された場合に「青色」のＬＥＤ素子を発光させる対応関係（テーブル）を記憶させる。
【００３４】
アンテナ１６を介して電子メールが通信部１２に受信される（ステップ１１０）と、制御回路３６によりＲＡＭ４０の重要度判別ルール記憶部４０Ｂに記憶された判別条件に基づいてその重要度が判別される（判別工程、ステップ１２０）。このとき、制御回路３６は、電子メールの件名や内容（本文）に「緊急」、「重要」等の語句が含まれていると判断した場合、又は、「身内」や「会社の上司」等の特定人からの電子メールであると判断した場合には、その電子メールは「重要である」と判別する。一方、電子メールの件名や内容（本文）に「緊急」、「重要」等の語句が含まれておらず、更に「身内」や「会社の上司」等の特定人からの電子メールではないと判断した場合には、その電子メールは「重要でない」と判別する。制御回路３６により重要度が判別された電子メールは、ＲＡＭ４０の電子メールデータ記憶部４０Ａに格納される。
【００３５】
制御回路３６は、電子メールが「重要である」と判別された場合には、「赤色」のＬＥＤ素子が発光する命令を照明部４６に出力する（制御工程、ステップ１４０）。これにより、ディスプレイ４２の背景及び／又は各キー４８、５０、５２、５４のキー表面に「赤色」の照明が施される。
【００３６】
一方、制御回路３６は、電子メールが「重要でない」と判別された場合には、「青色」のＬＥＤ素子が発光する命令を照明部４６に出力する（制御工程、ステップ１６０）。これにより、ディスプレイ４２の背景及び／又は各キー４８、５０、５２、５４のキー表面に「青色」の照明が施される。
【００３７】
ディスプレイ４２の背景及び／又は各キー４８、５０、５２、５４のキー表面に施された照明の色をユーザが視認することにより、ユーザは受信した電子メールが「重要である」か「重要でない」かについて携帯電話装置１０を何ら操作することなく受信後直ちに判断することができる。これにより、ユーザは、重要な電子メールだけを早急に読むことができ、重要でない電子メールの確認を後回しにすることができる。特に、外出先などで時間が無い時に電子メールを受信した場合には、受信した電子メールの重要度が受信後直ちに判断できるため、ユーザにとって非常に便利になる。
【００３８】
また、電子メールの重要度をディスプレイ４２の背景や各キー４８、５０、５２、５４のキー表面に施された照明の色を用いてユーザに知らせることにより、夜間などの暗闇の中で電子メールを受信した場合でも、受信した電子メールの重要度を受信後直ちにユーザに知らせることができる。
【００３９】
なお、上記実施形態の携帯電話装置１０では、ディスプレイ４２の背景や入力部４４の各キー４８、５０、５２、５４のキー表面に所定の色の照明を施す構成を例に取り説明したが、これに限られるものではなく、例えば、携帯電話装置１０の表面に設けられた着信ランプ（図示省略）や装飾ランプ（図示省略）を電子メールの重要度に応じた色（例えば、「赤色」又は「青色」など）に発光できるようにしてもよい。
【００４０】
また、ディスプレイ４２の背景や各キー４８、５０、５２、５４のキー表面に施された照明の色は、「赤色」や「青色」に限定されるものではなく、重要な電子メールと重要でない電子メールとが区別できるものであれば、他の色でもよい。さらに、電子メールの重要度を判別するための特定の語句（キーワード）や特定人の電子メールアドレスについても、上述した語句や電子メールアドレスに限られるものではなく、ユーザが重要であると考える他の語句（キーワード）や電子メールアドレスでもよい。これらは、ユーザが予め、ＲＡＭ４０の重要度判別ルール記憶部４０Ｂに記憶させることにより容易に設定変更することができる。
【００４１】
次に、上記実施形態の携帯電話装置１０の変形例について説明する。
【００４２】
上記実施形態の携帯電話装置１０では、制御回路３６により電子メールの重要度に応じて照明部４６の照明の色を変えるように制御したが、照明の色を変えることに限られるものではない。
【００４３】
例えば、予めユーザが、電子メールの重要度とマーク（情報）の種類との対応関係をＲＡＭ４０の重要度判別ルール記憶部４０Ｂに記憶させておき、電子メールの重要度に応じた種類のマークをディスプレイ４２に表示させるようにしてもよい。これにより、ディスプレイ４２に表示されたマークの種類をユーザが視認することにより、ユーザは受信した電子メールが「重要である」か「重要でない」かについて携帯電話装置１０を何ら操作することなく受信後直ちに判断することができる。これにより、ユーザは、重要な電子メールだけを読むことができ、重要でない電子メールの確認を後回しにすることができる。
【図面の簡単な説明】
【００４４】
【図１】本発明の一実施形態に係る携帯電話装置のブロック図である。
【図２】本発明の一実施形態に係る携帯電話装置の作用を示すフローチャートである。
【図３】本発明の一実施形態に係る携帯電話装置を構成するＲＡＭの概略構成図である。
【符号の説明】
【００４５】
１０      携帯電話装置
３６      制御回路（制御手段）
４０Ｂ    重要度判別ルール記憶部（記憶手段）
４２      ディスプレイ（表示手段）
４６      照明部（発光体）
４８      テンキー（表示手段）
５０      通話キー（表示手段）
５２      切キー（表示手段）
５４      機能キー（表示手段）
【図１】
2005236422.tif 000003
【図２】
2005236422.tif 000004
【図３】
2005236422.tif 000005